(57)【特許請求の範囲】
【請求項１】
複数の火災情報共有端末を含んで構成される火災情報システムであって、
今回の火災の発生を通報する通報者の電話機の電話回線を逆探知して特定された該通報者の通報時の位置情報である通報者位置情報を含む今回火災情報を取得する今回火災情報取得部と、
前記火災情報共有端末を識別する端末識別情報と、前記今回火災情報を受信した該火災情報共有端末のユーザである受信ユーザが火災の消火に出動する際に経由する施設の位置情報である屯所位置情報と、該受信ユーザが該火災の消火に用いることができる消防水利の位置情報である水利位置情報とを記憶する記憶部と、
前記今回火災情報に含まれる前記通報者位置情報に基づいて前記記憶部を参照して、前記今回火災情報の送信対象となる前記火災情報共有端末を特定し、該特定された火災情報共有端末に該今回火災情報を送信する火災情報送信部と、
前記火災情報送信部により特定された各火災情報共有端末の前記端末識別情報に基づいて各受信ユーザが前記今回の火災の消火活動に出動する際に経由する施設の屯所位置情報を前記記憶部から取得する屯所情報取得部と、
前記今回火災情報に含まれる前記通報者位置情報に基づいて前記受信ユーザが前記今回の火災の消火活動に用いることができる消防水利の水利位置情報を前記記憶部から取得する水利情報取得部とを備え、
前記火災情報共有端末は、
該火災情報共有端末の位置を示す端末位置情報を取得する端末位置取得部と、
前記今回火災情報を受信して、該受信した今回火災情報に含まれる前記通報者位置情報と、前記取得された前記屯所位置情報、前記水利位置情報及び前記端末位置情報とに基づいて、前記受信ユーザの今回の出動先を示す地図を表示部に表示させる地図表示部と、
前記受信ユーザによる前記今回の火災の消火活動に出動できるか否かを示す情報を含む出動可否情報の入力を受け付ける出動可否情報受付部と、
前記受け付けた出動可否情報を、他の前記火災情報共有端末に送信する出動可否情報送信部と、
他の前記火災情報共有端末から前記出動可否情報を受信して、該受信した出動可否情報に含まれる情報を前記表示部に表示させる出動可否情報表示部とを有し、
前記水利位置情報は、前記消防水利ごとの水の供給可能量を示す情報を含んでおり、
前記端末位置取得部により取得された前記火災情報共有端末ごとの前記端末位置情報と、前記取得された前記水利位置情報との位置関係及び該水利位置情報に含まれる前記消防水利ごとの水の供給可能量を示す情報に基づいて、いずれの前記消防水利が今回の消火活動に用いられているか及び該消防水利ごとの前記供給可能量に余裕があるか否かを推定する水利状態推定部を備え、
前記水利状態推定部の推定結果に基づいて、いずれかの前記消防水利の前記供給可能量に余裕がない場合には、該供給可能量に余裕がない消防水利以外の消防水利を用いることを促す情報を前記表示部に表示させる推奨部を有することを特徴とする火災情報システム。
【請求項２】
請求項１に記載の火災情報システムにおいて、
前記火災情報共有端末は、
前記端末位置取得部により取得された、各前記火災情報共有端末が前記今回火災情報を受信した際の端末位置情報と、前記今回火災情報に含まれる前記通報者位置情報と、前記取得された前記屯所位置情報との位置関係に基づいて、各前記受信ユーザに該通報者位置情報が示す位置及び屯所位置情報が示す位置のいずれかに出動することを促す情報を前記表示部に表示させる推奨部を有することを特徴とする火災情報システム。
【請求項３】
請求項１又は２に記載の火災情報システムにおいて、
前記出動可否情報受付部は、前記受信ユーザによる、前記今回火災情報に含まれる前記通報者位置情報が示す位置及び前記取得された前記屯所位置情報が示す位置のいずれに出動するかを示す情報を含む出動可否情報の入力を受け付けるように構成され、
前記出動可否情報を受信して、前記今回火災情報に含まれる前記通報者位置情報が示す位置に出動する前記受信ユーザの人数及び前記屯所位置情報が示す位置に出動する前記受信ユーザの人数の何れか一方又は両方に応じて、該受信ユーザに該通報者位置情報が示す位置及び該屯所位置情報が示す位置のいずれかに出動することを促す情報を前記表示部に表示させる推奨部を有することを特徴とする火災情報システム。
【請求項４】
複数の火災情報共有端末を含んで構成される火災情報システムであって、
今回の火災の発生を通報する通報端末の通報時の位置情報である通報者位置情報と、該今回の火災の発生を通報するための画像である火災状態画像とを含む火災通報情報を該通報端末から受信して、該火災状態画像に基づいて火災の発生の有無を判定する火災発生判定部を備え、
前記火災発生判定部は、複数の火災状態画像と火災の発生の有無を示す教師データとを対応付けて学習した識別器により構成されており、
前記火災発生判定部が、火災が発生していると判定した場合に、前記通報者位置情報を含む今回火災情報を生成する今回火災情報生成部と、
前記今回火災情報を取得する今回火災情報取得部と、
前記火災情報共有端末を識別する端末識別情報と、前記今回火災情報を受信した該火災情報共有端末のユーザである受信ユーザが火災の消火に出動する際に経由する施設の位置情報である屯所位置情報と、該受信ユーザが該火災の消火に用いることができる消防水利の位置情報である水利位置情報とを記憶する記憶部と、
前記今回火災情報に含まれる前記通報者位置情報に基づいて前記記憶部を参照して、前記今回火災情報の送信対象となる前記火災情報共有端末を特定し、該特定された火災情報共有端末に該今回火災情報を送信する火災情報送信部と、
前記火災情報送信部により特定された各火災情報共有端末の前記端末識別情報に基づいて各受信ユーザが前記今回の火災の消火活動に出動する際に経由する施設の屯所位置情報を前記記憶部から取得する屯所情報取得部と、
前記今回火災情報に含まれる前記通報者位置情報に基づいて前記受信ユーザが前記今回の火災の消火活動に用いることができる消防水利の水利位置情報を前記記憶部から取得する水利情報取得部とを備え、
前記火災情報共有端末は、
該火災情報共有端末の位置を示す端末位置情報を取得する端末位置取得部と、
前記今回火災情報を受信して、該受信した今回火災情報に含まれる前記通報者位置情報と、前記取得された前記屯所位置情報、前記水利位置情報及び前記端末位置情報とに基づいて、前記受信ユーザの今回の出動先を示す地図を表示部に表示させる地図表示部と、
前記受信ユーザによる前記今回の火災の消火活動に出動できるか否かを示す情報を含む出動可否情報の入力を受け付ける出動可否情報受付部と、
前記受け付けた出動可否情報を、他の前記火災情報共有端末に送信する出動可否情報送信部と、
他の前記火災情報共有端末から前記出動可否情報を受信して、該受信した出動可否情報に含まれる情報を前記表示部に表示させる出動可否情報表示部とを有し、
前記水利位置情報は、前記消防水利ごとの水の供給可能量を示す情報を含んでおり、
前記端末位置取得部により取得された前記火災情報共有端末ごとの前記端末位置情報と、前記取得された前記水利位置情報との位置関係及び該水利位置情報に含まれる前記消防水利ごとの水の供給可能量を示す情報に基づいて、いずれの前記消防水利が今回の消火活動に用いられているか及び該消防水利ごとの前記供給可能量に余裕があるか否かを推定する水利状態推定部を備え、
前記水利状態推定部の推定結果に基づいて、いずれかの前記消防水利の前記供給可能量に余裕がない場合には、該供給可能量に余裕がない消防水利以外の消防水利を用いることを促す情報を前記表示部に表示させる推奨部を有することを特徴とする火災情報システム。
【発明の詳細な説明】
【技術分野】
【０００１】
本発明は、火災の発生に関する情報を共有する情報システムに関する。
【背景技術】
【０００２】
従来、自衛消防隊の隊員同士の連携を支援する支援システムが知られている。（特許文献１参照）。
【０００３】
特許文献１のシステムによれば、建築物に配設された自動警報設備からの火災発生などの異状を知らせる異常情報が端末に伝達され、当該異常方法を受けた端末同士では音声通話による情報の共有が可能となる。
【先行技術文献】
【特許文献】
【０００４】
【特許文献１】特開２０１８−１３９１３０号公報
【発明の概要】
【発明が解決しようとする課題】
【０００５】
特許文献１のシステムを、地域の消防団による消火活動時に消防団員等が情報共有をするシステムとして応用することが考えられる。
【０００６】
しかしながら、特許文献１のシステムは、特定の建築物に配設された自動警報設備からの火災発生などの異状を知らせる異常情報が送信されることが前提となっており、地域の消防団が管轄する地域内に所在する無数の家屋、建物等の消火活動に用いることが考慮されていない。
【０００７】
すなわち、消防団が管轄する地域内に所在する無数の家屋、建物等の施設すべてに自動警報装置を設置することは現実的ではないため、特許文献１のシステムでは、消防団が火災の発生の通報を受けて迅速に消火活動を行うことができる対象が限定されてしまう。
【０００８】
また、消防団が管轄する地域内外の様々な場所で消防団員以外の業務に通常は従事している人により地域の消防団員は構成されている。そのため消防団員は、当該消防団が管轄する地域において火災等が発生した場合に消火活動への召集を受けたうえで、ポンプ車や可搬式の小型消防ポンプを搭載した搭載車（以下これらを総称して「消防車」という。）などの消火活動に用いる装備を整える場所（消防屯所など）を必要に応じて経由して、火災等が発生している現場に駆け付けて消火活動にあたる。
【０００９】
そのため、地域の消防団員向けのシステムは、消防団が管轄する地域内外の様々な場所にいても消防団員が効率よく情報を受発信し当該情報を共有できるシステムであることが求められる。
【００１０】
しかしながら、特許文献１のシステムは、せいぜい同一の建物の異なる階あるいは同一敷地内の異なる棟という程度の範囲で各隊員が働いている場合に用いられるシステムであり、消防団員が地域内外の様々な場所にいても消防団員が効率よく情報を受発信し当該情報を共有できるようにすることが考慮されていない。
【００１１】
そのため、特許文献１のシステムでは、消防団が管轄する地域内外の様々な場所で消防団員以外の業務に通常は従事している消防団員間の情報共有が適切になされず、消火活動の初動が遅れるなどの問題を生じさせるおそれがある。
【００１２】
本発明の目的は、かかる従来技術の課題に鑑み、迅速に消火活動を行うことができる対象が限定されず、かつ様々な場所で消防団員以外の業務に従事している消防団員間での情報共有を適切に図ることができる火災情報システムを提供することにある。
【課題を解決するための手段】
【００１３】
本発明の火災情報システムは、
複数の火災情報共有端末を含んで構成される火災情報システムであって、
今回の火災の発生を通報する通報者の電話機の電話回線を逆探知して特定された該通報者の通報時の位置情報である通報者位置情報を含む今回火災情報を取得する今回火災情報取得部と、
前記火災情報共有端末を識別する端末識別情報と、前記今回火災情報を受信した該火災情報共有端末のユーザである受信ユーザが火災の消火に出動する際に経由する施設の位置情報である屯所位置情報と、該受信ユーザが該火災の消火に用いることができる消防水利の位置情報である水利位置情報とを記憶する記憶部と、
前記今回火災情報に含まれる前記通報者位置情報に基づいて前記記憶部を参照して、前記今回火災情報の送信対象となる前記火災情報共有端末を特定し、該特定された火災情報共有端末に該今回火災情報を送信する火災情報送信部と、
前記火災情報送信部により特定された各火災情報共有端末の前記端末識別情報に基づいて各受信ユーザが前記今回の火災の消火活動に出動する際に経由する施設の屯所位置情報を前記記憶部から取得する屯所情報取得部と、
前記今回火災情報に含まれる前記通報者位置情報に基づいて前記受信ユーザが前記今回の火災の消火活動に用いることができる消防水利の水利位置情報を前記記憶部から取得する水利情報取得部とを備え、
前記火災情報共有端末は、
該火災情報共有端末の位置を示す端末位置情報を取得する端末位置取得部と、
前記今回火災情報を受信して、該受信した今回火災情報に含まれる前記通報者位置情報と、前記取得された前記屯所位置情報、前記水利位置情報及び前記端末位置情報とに基づいて、前記受信ユーザの今回の出動先を示す地図を表示部に表示させる地図表示部と、
前記受信ユーザによる前記今回の火災の消火活動に出動できるか否かを示す情報を含む出動可否情報の入力を受け付ける出動可否情報受付部と、
前記受け付けた出動可否情報を、他の前記火災情報共有端末に送信する出動可否情報送信部と、
他の前記火災情報共有端末から前記出動可否情報を受信して、該受信した出動可否情報に含まれる情報を前記表示部に表示させる出動可否情報表示部とを有し、
前記水利位置情報は、前記消防水利ごとの水の供給可能量を示す情報を含んでおり、
前記端末位置取得部により取得された前記火災情報共有端末ごとの前記端末位置情報と、前記取得された前記水利位置情報との位置関係及び該水利位置情報に含まれる前記消防水利ごとの水の供給可能量を示す情報に基づいて、いずれの前記消防水利が今回の消火活動に用いられているか及び該消防水利ごとの前記供給可能量に余裕があるか否かを推定する水利状態推定部を備え、
前記水利状態推定部の推定結果に基づいて、いずれかの前記消防水利の前記供給可能量に余裕がない場合には、該供給可能量に余裕がない消防水利以外の消防水利を用いることを促す情報を前記表示部に表示させる推奨部を有することを特徴とする。
【００１４】
本発明の火災情報システムによれば、今回火災情報取得部により、今回の火災の発生を通報する通報者の電話機の電話回線を逆探知して特定された該通報者の通報時の位置情報である通報者位置情報を含む今回火災情報が取得される。
【００１５】
これにより、消防団が管轄する地域内に所在する施設に自動警報装置を設置せずとも、通報者が電話を介して今回の火災の発生を通報することができるので、消防団が火災の発生の通報を受けて迅速に消火活動を行うことができる対象が限定されない。
【００１６】
そして、今回火災情報に含まれる、通報者の通報時の位置情報である通報者位置情報は、通報者の電話機の電話回線を逆探知して特定された位置情報であるので、その正確性が高い。そして通報者は、火災現場を目視できる場所から通報をしてきている可能性が高い。そのため、正確性の高い火災発生現場周辺の位置を、今回火災情報を受信した該火災情報共有端末のユーザ間で共有させることができる。
【００１７】
なお、各消防団が管轄とする地域の面積が非常に広い場合があるので、各消防団員は、今回火災情報を受信したときに自分がいる場所と、火災の消火活動に出動する際に経由する消防屯所などの施設と、火災発生現場周辺と、の位置関係が分からなかったり、火災発生現場周辺の消防水利の位置がわからなかったりするために、消防団員による消火活動の初動に後れを生じさせるおそれがある。
【００１８】
本発明によれば、火災情報送信部により、今回火災情報に含まれる通報者位置情報に基づいて記憶部が参照されて今回火災情報の送信対象となる火災情報共有端末が特定されて、該特定された火災情報共有端末に該今回火災情報が送信される。
【００１９】
また、屯所情報取得部によって、火災情報送信部により特定された各火災情報共有端末の端末識別情報に基づいて各受信ユーザが今回の火災の消火活動に出動する際に経由する施設の屯所位置情報が記憶部から取得され、水利情報取得部によって、今回火災情報に含まれる通報者位置情報に基づいて受信ユーザが今回の火災の消火活動に用いることができる消防水利の水利位置情報が記憶部から取得される。
【００２０】
そして、地図表示部により、火災情報共有端末が受信した今回火災情報に含まれる通報者位置情報と、取得された屯所位置情報、水利位置情報及び端末位置情報とに基づいて、受信ユーザの今回の出動先を示す地図が表示部に表示される。
【００２１】
これにより、各受信ユーザは、現在位置と、消防屯所などの施設と、火災発生現場周辺との位置関係及び、火災発生現場周辺の消防水利の位置が簡便にわかるので、消火活動を迅速に進めることができる。
また、消防団員は、消火活動を行う際に、火災発生現場から最も近い消防水利から消防車にホースをつないで当該消防水利から消防車まで水を引いて放水を行う。なお、各消防水利が供給することができる水の量（毎分〇立法メートル、総量〇リットルなど。）は消防水利ごとに異なるところであり、当該量をこえることとなる数の消防車には、水を引くことができない。
そのため、消防団員がどの消防水利がまだ供給可能量に余裕があるのかを予め知ることができないと、供給可能量に余裕のない消防水利に水を引きに行ってしまうという無駄な作業に時間を費やしてしまうおそれがある。
本発明の火災情報システムによれば、水利位置情報には、消防水利ごとの水の供給可能量を示す情報が含まれている。
また水利状態推定部によって、火災情報共有端末ごとの端末位置情報と水利位置情報との位置関係及び該水利位置情報に含まれる前記消防水利ごとの水の供給可能量を示す情報に基づいて、いずれの消防水利が今回の消火活動に用いられているか及び消防水利ごとの供給可能量に余裕があるか否かが推定される。
そして推奨部により、水利状態推定部の推定結果に基づいて、いずれかの消防水利の供給可能量に余裕がない場合には、当該供給可能量に余裕がない消防水利以外の消防水利を用いることを促す情報が表示部に表示される。
これにより、消防団員はどの消防水利がまだ供給可能量に余裕があるのかを予め知ることができ、供給可能量に余裕のない消防水利に水を引きに行ってしまう無駄を回避することができるので、消火活動を円滑に行うことができる。
【００２２】
このように、本発明の火災情報システムによれば、迅速に消火活動を行うことができる対象が限定されず、かつ様々な場所で消防団員以外の業務に従事している消防団員間での情報共有を適切に図ることができる。
【００２３】
本発明の火災情報システムにおいて、
前記火災情報共有端末は、
前記端末位置取得部により取得された、各前記火災情報共有端末が前記今回火災情報を受信した際の端末位置情報と、前記今回火災情報に含まれる前記通報者位置情報と、前記取得された前記屯所位置情報との位置関係に基づいて、各前記受信ユーザに該通報者位置情報が示す位置及び屯所位置情報が示す位置のいずれかに出動することを促す情報を前記表示部に表示させる推奨部を有することが好ましい。
【００２４】
今回火災情報を受信したときの場所と、消防屯所などの施設と、火災発生現場周辺との位置関係によっては、消防屯所などの施設を経由してから火災発生現場に向かったのでは消火活動の初動に後れを生じさせてしまうため、消防屯所などの施設を経由せずに直接火災発生現場周辺に向かうべきである場合がある。そして、今回の出動先を示す地図が表示されただけでは、消防屯所を経由している余裕があるのか、直接火災発生現場周辺に向かうべきであるかを、各消防団員が判断に迷ってしまうことが考えられる。
【００２５】
本発明の火災情報システムによれば、推奨部によって、端末位置取得部により取得された、各火災情報共有端末が今回火災情報を受信した際の端末位置情報と、今回火災情報に含まれる通報者位置情報と、取得された屯所位置情報との位置関係に基づいて、各受信ユーザに該通報者位置情報が示す位置及び屯所位置情報が示す位置のいずれかに出動することを促す情報が表示部に表示される。
【００２６】
これにより、各受信ユーザは、消防屯所を経由している余裕があるのか、直接火災発生現場周辺に向かうべきであるかを容易に判断させることができるので、各受信ユーザに円滑に消火活動の初動にあたらせることができる。
【００２７】
このように、本発明の火災情報システムによれば、受信ユーザの消火活動の初動を円滑にして、迅速に消火活動を行うことができる対象が限定されず、かつ様々な場所で消防団員以外の業務に従事している消防団員間での情報共有を適切に図ることができる。
【００２８】
本発明の火災情報システムにおいて、
前記出動可否情報受付部は、前記受信ユーザによる、前記今回火災情報に含まれる前記通報者位置情報が示す位置及び前記取得された前記屯所位置情報が示す位置のいずれに出動するかを示す情報を含む出動可否情報の入力を受け付けるように構成され、
前記出動可否情報を受信して、前記今回火災情報に含まれる前記通報者位置情報が示す位置に出動する前記受信ユーザの人数及び前記屯所位置情報が示す位置に出動する前記受信ユーザの人数の何れか一方又は両方に応じて、該受信ユーザに該通報者位置情報が示す位置及び該屯所位置情報が示す位置のいずれかに出動することを促す情報を前記表示部に表示させる推奨部を有することが好ましい。
【００２９】
各消防屯所に配備されている消防車の数には限りがあり、また消防車は１人の運転者がいれば運転することができる。そのため、各消防屯所に配備されている消防車の台数と同じ程度の消防団員が当該消防屯所を経由して火災発生現場に向かうのであれば、他の消防団員には火災発生現場に直接向かわせた方が、消防団員に効率的に消火活動を行わせることができる。逆に、火災現場に直接向かう消防隊員ばかりでは、消防車を運転する消防団員の数が不足し、消火活動に支障が出るおそれがある。
【００３０】
本発明の火災情報システムによれば、出動可否情報受付部によって、受信ユーザによる、今回火災情報に含まれる通報者位置情報が示す位置及び取得された屯所位置情報が示す位置のいずれに出動するかを示す情報を含む出動可否情報の入力が受け付けられる。
【００３１】
そして推奨部により、今回火災情報に含まれる通報者位置情報が示す位置に出動する受信ユーザの人数及び屯所位置情報が示す位置に出動する受信ユーザの人数の何れか一方又は両方に応じて、該受信ユーザに該通報者位置情報が示す位置及び該屯所位置情報が示す位置のいずれかに出動することを促す情報が表示部に表示される。
【００３２】
これにより、消防屯所などを経由する消防団員の数と、火災発生現場に直接向かう消防団員の数とのバランスが適正になるので、消防団員は円滑に消火活動にあたることができる。
【００３３】
このように、本発明の火災情報システムによれば、迅速に消火活動を行うことができる対象が限定されず、かつ様々な場所で消防団員以外の業務に従事している消防団員間での情報共有を円滑で適切に図ることができる。
【００４２】
本発明の火災情報システムは、
複数の火災情報共有端末を含んで構成される火災情報システムであって、
今回の火災の発生を通報する通報端末の通報時の位置情報である通報者位置情報と、該今回の火災の発生を通報するための画像である火災状態画像とを含む火災通報情報を該通報端末から受信して、該火災状態画像に基づいて火災の発生の有無を判定する火災発生判定部を備え、
前記火災発生判定部は、複数の火災状態画像と火災の発生の有無を示す教師データとを対応付けて学習した識別器により構成されており、
前記火災発生判定部が、火災が発生していると判定した場合に、前記通報者位置情報を含む今回火災情報を生成する今回火災情報生成部と、
前記今回火災情報を取得する今回火災情報取得部と、
前記火災情報共有端末を識別する端末識別情報と、前記今回火災情報を受信した該火災情報共有端末のユーザである受信ユーザが火災の消火に出動する際に経由する施設の位置情報である屯所位置情報と、該受信ユーザが該火災の消火に用いることができる消防水利の位置情報である水利位置情報とを記憶する記憶部と、
前記今回火災情報に含まれる前記通報者位置情報に基づいて前記記憶部を参照して、前記今回火災情報の送信対象となる前記火災情報共有端末を特定し、該特定された火災情報共有端末に該今回火災情報を送信する火災情報送信部と、
前記火災情報送信部により特定された各火災情報共有端末の前記端末識別情報に基づいて各受信ユーザが前記今回の火災の消火活動に出動する際に経由する施設の屯所位置情報を前記記憶部から取得する屯所情報取得部と、
前記今回火災情報に含まれる前記通報者位置情報に基づいて前記受信ユーザが前記今回の火災の消火活動に用いることができる消防水利の水利位置情報を前記記憶部から取得する水利情報取得部とを備え、
前記火災情報共有端末は、
該火災情報共有端末の位置を示す端末位置情報を取得する端末位置取得部と、
前記今回火災情報を受信して、該受信した今回火災情報に含まれる前記通報者位置情報と、前記取得された前記屯所位置情報、前記水利位置情報及び前記端末位置情報とに基づいて、前記受信ユーザの今回の出動先を示す地図を表示部に表示させる地図表示部と、
前記受信ユーザによる前記今回の火災の消火活動に出動できるか否かを示す情報を含む出動可否情報の入力を受け付ける出動可否情報受付部と、
前記受け付けた出動可否情報を、他の前記火災情報共有端末に送信する出動可否情報送信部と、
他の前記火災情報共有端末から前記出動可否情報を受信して、該受信した出動可否情報に含まれる情報を前記表示部に表示させる出動可否情報表示部とを有し、
前記水利位置情報は、前記消防水利ごとの水の供給可能量を示す情報を含んでおり、
前記端末位置取得部により取得された前記火災情報共有端末ごとの前記端末位置情報と、前記取得された前記水利位置情報との位置関係及び該水利位置情報に含まれる前記消防水利ごとの水の供給可能量を示す情報に基づいて、いずれの前記消防水利が今回の消火活動に用いられているか及び該消防水利ごとの前記供給可能量に余裕があるか否かを推定する水利状態推定部を備え、
前記水利状態推定部の推定結果に基づいて、いずれかの前記消防水利の前記供給可能量に余裕がない場合には、該供給可能量に余裕がない消防水利以外の消防水利を用いることを促す情報を前記表示部に表示させる推奨部を有することを特徴とする。
【００４３】
本発明の火災情報システムによれば、火災発生判定部により、今回の火災の発生を通報する通報端末の通報時の位置情報である通報者位置情報と、該今回の火災の発生を通報するための画像である火災状態画像とを含む火災通報情報が該通報端末から受信されて、該火災状態画像に基づいて火災の発生の有無が判定される。
【００４４】
これにより、消防団が管轄する地域内に所在する施設に自動警報装置を設置せずとも、通報者は位置情報が取得できて画像を撮像できるスマートフォンなどの汎用的な装置を介して今回の火災の発生を通報することができるので、消防団が火災の発生の通報を受けて迅速に消火活動を行うことができる対象が限定されない。
【００４５】
また、火災発生判定部は複数の火災状態画像と火災の発生の有無を示す教師データとを対応付けて学習した識別器により構成されており、また今回火災情報生成部によって、火災発生判定部により火災が発生していると判定された場合に、通報者位置情報を含む今回火災情報が生成される。そのため、火災が発生しているか否かを自動的に判定でき、その判定の信頼性も高い。そして通報者は、火災現場を目視できる場所から通報をしてきている可能性が高い。そのため、信頼性の高い火災発生の情報と、正確性の高い火災発生現場周辺の位置とを、今回火災情報を受信した該火災情報共有端末のユーザ間で共有させることができる。
【００４６】
なお、各消防団が管轄とする地域の面積が非常に広い場合があるので、各消防団員は、今回火災情報を受信したときに自分がいる場所と、火災の消火活動に出動する際に経由する消防屯所などの施設と、火災発生現場周辺と、の位置関係が分からなかったり、火災発生現場周辺の消防水利の位置がわからなかったりするために、消防団員による消火活動の初動に後れを生じさせるおそれがある。
【００４７】
本発明によれば、火災情報送信部により、今回火災情報に含まれる通報者位置情報に基づいて記憶部が参照されて今回火災情報の送信対象となる火災情報共有端末が特定されて、該特定された火災情報共有端末に該今回火災情報が送信される。
【００４８】
また、屯所情報取得部によって、火災情報送信部により特定された各火災情報共有端末の端末識別情報に基づいて各受信ユーザが今回の火災の消火活動に出動する際に経由する施設の屯所位置情報が記憶部から取得され、水利情報取得部によって、今回火災情報に含まれる通報者位置情報に基づいて受信ユーザが今回の火災の消火活動に用いることができる消防水利の水利位置情報が記憶部から取得される。
【００４９】
そして、地図表示部により、火災情報共有端末が受信した今回火災情報に含まれる通報者位置情報と、取得された屯所位置情報、水利位置情報及び端末位置情報とに基づいて、受信ユーザの今回の出動先を示す地図が表示部に表示される。
【００５０】
これにより、各受信ユーザは、現在位置と、消防屯所などの施設と、火災発生現場周辺との位置関係及び、火災発生現場周辺の消防水利の位置が簡便にわかるので、消火活動を迅速に進めることができる。
また、消防団員は、消火活動を行う際に、火災発生現場から最も近い消防水利から消防車にホースをつないで当該消防水利から消防車まで水を引いて放水を行う。なお、各消防水利が供給することができる水の量（毎分〇立法メートル、総量〇リットルなど。）は消防水利ごとに異なるところであり、当該量をこえることとなる数の消防車には、水を引くことができない。
そのため、消防団員がどの消防水利がまだ供給可能量に余裕があるのかを予め知ることができないと、供給可能量に余裕のない消防水利に水を引きに行ってしまうという無駄な作業に時間を費やしてしまうおそれがある。
本発明の火災情報システムによれば、水利位置情報には、消防水利ごとの水の供給可能量を示す情報が含まれている。
また水利状態推定部によって、火災情報共有端末ごとの端末位置情報と水利位置情報との位置関係及び該水利位置情報に含まれる前記消防水利ごとの水の供給可能量を示す情報に基づいて、いずれの消防水利が今回の消火活動に用いられているか及び消防水利ごとの供給可能量に余裕があるか否かが推定される。
そして推奨部により、水利状態推定部の推定結果に基づいて、いずれかの消防水利の供給可能量に余裕がない場合には、当該供給可能量に余裕がない消防水利以外の消防水利を用いることを促す情報が表示部に表示される。
これにより、消防団員はどの消防水利がまだ供給可能量に余裕があるのかを予め知ることができ、供給可能量に余裕のない消防水利に水を引きに行ってしまう無駄を回避することができるので、消火活動を円滑に行うことができる。
【００５１】
このように、本発明の火災情報システムによれば、迅速に消火活動を行うことができる対象が限定されず、かつ様々な場所で消防団員以外の業務に従事している消防団員間での情報共有を適切に図ることができる。
【図面の簡単な説明】
【００５２】
【図１】火災情報システムの全体構成を示すブロック図。
【図２Ａ】火災情報システムが処理に用いるテーブルの例を示す表。
【図２Ｂ】火災情報システムが処理に用いるテーブルの例を示す表。
【図２Ｃ】火災情報システムが処理に用いるテーブルの例を示す表。
【図２Ｄ】火災情報システムが処理に用いるテーブルの例を示す表。
【図２Ｅ】火災情報システムが処理に用いるテーブルの例を示す表。
【図３】火災情報システム全体の処理の概要を示すフローチャート。
【図４】火災情報システムの表示内容を示す図。
【図５Ａ】火災情報システムの表示内容を示す図。
【図５Ｂ】火災情報システムの表示内容を示す図。
【図５Ｃ】火災情報システムの表示内容を示す図。
【図６】火災情報システムの表示内容を示す図。
【図７】火災情報システムの全体構成の変更例を示すブロック図。
【図８】火災情報システムの処理の変更例の概要を示すフローチャート。
【発明を実施するための形態】
【００５３】
図を用いて、本実施形態の火災情報システムについて説明する。なお同一の構成については、同一の符号を付して説明を省略することがある。
【００５４】
＜火災情報システムの構成＞
本実施形態の火災情報システムは、図１に示すようにサーバ１０と、複数の火災情報共有端末３０を含んで構成される。
【００５５】
サーバ１０は、サーバ制御部１１０と、記憶部１３０とを備える例えばコンピュータである。サーバ１０は、単一のコンピュータにより構成されていてもよいし、複数のコンピュータにより構成されていてもよい。
【００５６】
サーバ制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバ制御部１１０は、所定のプログラムを読み込んで実行することにより、今回火災情報取得部１１１、火災情報送信部１１３、屯所情報取得部１１５及び水利情報取得部１１７として機能し、あるいはさらに推奨部１１９及び水利状態推定部１２１として機能する。
【００５７】
記憶部１３０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。
【００５８】
記憶部１３０は、火災情報共有端末３０を識別する端末識別情報を端末識別情報データベース（ＤＢ）１３１に、今回火災情報５０ｂを受信した火災情報共有端末３０のユーザである受信ユーザが火災の消火に出動する際に経由する施設の位置情報である屯所位置情報を屯所位置情報ＤＢ１３３に、該受信ユーザが該火災の消火に用いることができる消防水利の位置情報である水利位置情報を水利位置情報ＤＢ１３５にそれぞれ記憶しているほか、サーバ制御部１１０の処理結果を記録する。
【００５９】
端末識別情報ＤＢ１３１には、例えば図２Ａに示すような、各火災情報共有端末３０の端末識別情報１３１１と管轄する地域を識別する管轄ＩＤ１３１３とが対応付けて記憶されているテーブルと、例えば図２Ｂに示すような、各管轄ＩＤ１３１３と当該管轄される地域の範囲を表す緯度経度範囲１３１５とが対応づけて記憶されているテーブルとが含まれている。
【００６０】
屯所位置情報ＤＢ１３３には、例えば図２Ｃに示すような、端末識別情報１３１１と屯所を識別する屯所ＩＤ１３１７とが対応付けて記憶されているテーブルと、例えば図２Ｄに示すような、屯所ＩＤ１３１７と当該屯所の緯度及び経度である屯所位置情報１３１９とが対応付けて記憶されているテーブルとが含まれている。
【００６１】
水利位置情報ＤＢ１３５には、例えば図２Ｅに示すような、消防水利を識別する水利ＩＤ１３２１と、当該消防水利の緯度及び経度である水利位置情報１３２３、消防水利ごとの水の供給可能量を示す情報である供給可能量情報１３２５及び消防水利ごとの使用の可否、故障している場合は故障の状態などを含むメンテナンス情報１３２７とが対応付けて記憶されているテーブルが含まれている。
【００６２】
今回火災情報取得部１１１は、今回の火災の発生を通報する通報者の固定電話及び携帯電話等の電話機９０の電話回線を逆探知して特定された該通報者の通報時の位置情報である通報者位置情報５１０を含む今回火災情報５０ａを、例えば消防署の通信指令室などの逆探知装置７１０を有する施設７０から取得する。逆探知装置７１０は、逆探知部７１２を有しており、逆探知部７１２は、今回の火災の発生を通報する通報者の電話機９０の電話回線を逆探知して該通報者の通報時の位置情報を逆探知する。
【００６３】
火災情報送信部１１３は、今回火災情報５０ａに含まれる通報者位置情報５１０に基づいて記憶部１３０の端末識別情報データベース（ＤＢ）１３１を参照して、今回火災情報５０ｂの送信対象となる火災情報共有端末３０を特定し、該特定された火災情報共有端末３０に今回火災情報５０ｂを送信する。
【００６４】
屯所情報取得部１１５は、火災情報送信部１１３により特定された各火災情報共有端末３０の端末識別情報に基づいて各受信ユーザが今回の火災の消火活動に出動する際に経由する施設の屯所位置情報を記憶部１３０の屯所情報ＤＢ１３３から取得する。
【００６５】
水利情報取得部１１７は、今回火災情報５０ａに含まれる通報者位置情報５１０に基づいて受信ユーザが今回の火災の消火活動に用いることができる消防水利の水利位置情報を記憶部１３０の水利位置情報ＤＢ１３５から取得する。
【００６６】
推奨部１１９は、端末位置取得部３１１により取得された、各火災情報共有端末３０が今回火災情報５０を受信した際の端末位置情報と、今回火災情報５０ｂに含まれる通報者位置情報５１０と、屯所情報取得部１１５により取得された屯所位置情報５２０との位置関係に基づいて、各受信ユーザに通報者位置情報５１０が示す位置及び屯所位置情報５２０が示す位置のいずれかに出動することを促す情報を表示部３３０に表示させる。
【００６７】
また推奨部１１９は、水利状態推定部１２１の推定結果に基づいて、いずれかの消防水利の供給可能量に余裕がない場合には、該供給可能量に余裕がない消防水利以外の消防水利を用いることを促す情報を火災情報共有端末３０の表示部３３０に表示させる。
【００６８】
水利状態推定部１２１は、火災情報共有端末３０の端末位置取得部３１１により取得された火災情報共有端末３０ごとの端末位置情報と、水利情報取得部１１７により取得された水利位置情報との位置関係及び該水利位置情報に含まれる消防水利ごとの水の供給可能量を示す情報に基づいて、いずれの消防水利が今回の消火活動に用いられているか及び該消防水利ごとの供給可能量に余裕があるか否かを推定する。
【００６９】
複数の火災情報共有端末３０は、そのそれぞれが、端末制御部３１０と、表示部３３０と、入力部３５０とを備える例えばスマートフォンやタブレット端末などの携帯端末である。
【００７０】
端末制御部３１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。端末制御部３１０は、所定のプログラムを読み込んで実行することにより、端末位置取得部３１１、地図表示部３１３、出動可否情報受付部３１５、出動可否情報送信部３１７、及び出動可否情報表示部３１９として機能する。
【００７１】
端末位置取得部３１１は、該火災情報共有端末３０の位置を示す端末位置情報を取得する。
【００７２】
地図表示部３１３は、今回火災情報５０ｂを受信して、該受信した今回火災情報５０ｂに含まれる通報者位置情報５１０と、屯所情報取得部１１５により取得された屯所位置情報５２０、水利情報取得部１１７により取得された水利位置情報５３０及び端末位置情報とに基づいて、受信ユーザの今回の出動先を示す地図を表示部３３０に表示させる。
【００７３】
なお本実施例においては、図１に示す通り、屯所情報取得部１１５及び水利情報取得部１１７は、サーバ１０に備えられており、屯所位置情報５２０と水利位置情報５３０とは、今回火災情報５０ｂに含まれて火災情報共有端末３０に送信される。
【００７４】
出動可否情報受付部３１５は、受信ユーザによる今回の火災の消火活動に出動できるか否かを示す情報を含む出動可否情報の入力を受け付ける。
【００７５】
あるいは出動可否情報受付部３１５は、受信ユーザによる、今回火災情報５０に含まれる通報者位置情報５１０が示す位置及び屯所情報取得部１１５に取得された屯所位置情報が示す位置のいずれに出動するかを示す情報を含む出動可否情報の入力を受け付けるように構成される。
【００７６】
なおこの場合、サーバ１０の推奨部１１９は、出動可否情報を受信して、今回火災情報５０に含まれる通報者位置情報５１０が示す位置に出動する受信ユーザの人数及び屯所位置情報が示す位置に出動する受信ユーザの人数の何れか一方又は両方に応じて、該受信ユーザに該通報者位置情報５１０が示す位置及び該屯所位置情報が示す位置のいずれかに出動することを促す情報を表示部３３０に表示させるように構成される。
【００７７】
出動可否情報送信部３１７は、出動可否情報受付部３１５が受け付けた出動可否情報を、他の火災情報共有端末３０に送信する。
【００７８】
出動可否情報表示部３１９は、他の火災情報共有端末３０から出動可否情報を受信して、該受信した出動可否情報に含まれる情報を表示部３３０に表示させる。
【００７９】
表示部３３０は、受信ユーザに対して各種の情報を表示する装置であり、例えば液晶ディスプレイ、有機ＥＬディスプレイである。
【００８０】
入力部３５０は、受信ユーザからの各種の情報の入力を受け付ける装置であり、例えばタッチパネルである。
【００８１】
＜火災情報システムの処理内容＞
まず、図２を用いて、火災情報システムの処理の概要を説明する。なお、以下の一連の処理を行うにあたり、火災情報システムの記憶部１３０の端末識別情報ＤＢ１３１には火災情報共有端末３０を識別する端末識別情報が、屯所位置情報ＤＢ１３３には今回火災情報５０を受信した火災情報共有端末３０のユーザである受信ユーザが火災の消火に出動する際に経由する施設の位置情報である屯所位置情報が、水利位置情報ＤＢ１３５には受信ユーザが該火災の消火に用いることができる消防水利の位置情報である水利位置情報がそれぞれあらかじめ記憶されている。
【００８２】
火災情報システムは、例えば逆探知装置７１０を有する施設７０から今回火災情報５０ａがサーバ１０に送信されることにより処理を開始する。
【００８３】
火災情報システムが処理を開始すると、まずサーバ１０において、今回火災情報取得処理が実行される（図３／Ｓ１００）。
【００８４】
そして、火災情報送信処理が実行される（図３／Ｓ２００）。なお、本実施形態においては、火災情報送信処理の中の処理として、屯所情報取得処理（図３／Ｓ３００）と水利情報取得処理（図３／Ｓ４００）とが実行される。
【００８５】
その後、サーバ１０から今回火災情報５０ｂを受信した火災情報共有端末３０において、端末位置情報取得処理（図３／Ｓ５００）と地図表示処理（図３／Ｓ６００）とが実行される。
【００８６】
その間、必要に応じて火災情報共有端末３０が今回火災情報５０ｂを受信した際の位置を示す受信時端末位置情報がサーバ１０に送信されて、サーバ１０において推奨処理（図３／Ｓ７００）及び水利状態推定処理（図３／Ｓ８００）が実行される。なお、本実施形態においては、推奨処理の中の処理として、水利状態推定処理が実行される。
【００８７】
続いて火災情報共有端末３０において、出動可否情報受付処理（図３／Ｓ９００）、出動可否情報送信処理（図３／Ｓ１０００）及び出動可否情報表示処理（図３／Ｓ１１００）が実行されて、火災情報システムにおける一連の処理が終了する。
【００８８】
なお、火災情報システムは、例えば火災が鎮火されたことを示す情報が受信ユーザ等により入力されるまでの間、Ｓ５００〜Ｓ８００の処理を繰り返し実行するように構成されていてもよい。次に各処理について説明する。
【００８９】
＜今回火災情報取得処理＞
今回火災情報取得部１１１は、処理を開始すると今回の火災の発生を通報する通報者の固定電話及び携帯電話等の電話機９０の電話回線を逆探知して特定された該通報者の通報時の位置情報である通報者位置情報５１０を含む今回火災情報５０ａを、例えば消防署の通信指令室などの逆探知装置７１０を有する施設７０から取得して処理を終了する。
【００９０】
＜火災情報送信処理＞
火災情報送信部１１３は、処理を開始すると今回火災情報５０ａに含まれる通報者位置情報５１０に基づいて記憶部１３０を参照して、今回火災情報５０ｂの送信対象となる火災情報共有端末３０を特定する。
【００９１】
火災情報送信部１１３は、例えばまず今回火災情報５０ａに含まれる通報者位置情報５１０に基づいて、端末識別情報ＤＢ１３１に含まれる図２Ｂに示すようなテーブルを参照して、通報者位置情報５１０が示す緯度及び経度が、いずれの緯度経度範囲１３１５に該当するかを認識して、当該該当する緯度経度範囲１３１５に対応づけられた管轄ＩＤがどれであるかを認識する。
【００９２】
そして、火災情報送信部１１３は、当該認識された管轄ＩＤ１３１３に基づいて、端末識別情報ＤＢ１３１に含まれる図２に示すようなテーブルを参照して、管轄ＩＤ１３１３に対応付けられた端末識別情報１３１１を抽出することにより、今回火災情報５０ｂの送信対象となる火災情報共有端末３０を特定する。
【００９３】
すなわち例えば、当該認識された管轄ＩＤ１３１３が「Ａ」であれば、本実施形態においては、「Ａ」の管轄ＩＤ１３１３に対応付けられた端末識別情報１３１１が「Ａ０１」及び「Ａ０２」である火災情報共有端末３０が、今回火災情報５０ｂの送信対象となる火災情報共有端末３０として火災情報送信部１１３により特定される。
【００９４】
そして、火災情報送信部１１３は、屯所情報取得部１１５に屯所情報取得処理を、水利情報取得部１１７に水利情報取得処理をそれぞれ実行させた後に、必要に応じて今回火災情報５０ａに屯所情報取得処理及び水利情報取得処理の結果として取得された屯所位置情報５２０と水利位置情報５３０とを追記して、上記にて特定された火災情報共有端末３０に今回火災情報５０ｂを送信して処理を終了する。
【００９５】
＜屯所情報取得処理＞
屯所情報取得部１１５は、処理を開始すると火災情報送信部１１３により特定された各火災情報共有端末３０の端末識別情報１３１１に基づいて各受信ユーザが今回の火災の消火活動に出動する際に経由する施設の屯所位置情報を記憶部１３０の屯所情報ＤＢ１３３から取得して処理を終了する。
【００９６】
屯所情報取得部１１５は、例えばまず火災情報送信部１１３により特定された各火災情報共有端末３０の端末識別情報１３１１に基づいて、屯所位置情報ＤＢ１３３に含まれる図２Ｃに示すようなテーブルを参照して、当該端末識別情報１３１１が、いずれの屯所ＩＤ１３１７に該当するかを認識する。そして、屯所情報取得部１１５は屯所ＩＤ１３１７に基づいて図２Ｄに示すようなテーブルを参照して、当該屯所ＩＤ１３１７に対応づけられた屯所位置情報１３１９を取得する。
【００９７】
＜水利情報取得処理＞
水利情報取得部１１７は、処理を開始すると今回火災情報５０ａに含まれる通報者位置情報５１０に基づいて受信ユーザが今回の火災の消火活動に用いることができる消防水利の水利位置情報を記憶部１３０の水利位置情報ＤＢ１３５から取得して処理を終了する。
【００９８】
水利情報取得部１１７は、例えば今回火災情報５０ａに含まれる通報者位置情報５１０に基づいて水利位置情報ＤＢ１３５に含まれる図２Ｅに示すようなテーブルを参照して、通報者位置情報５１０からの距離が所定の範囲内（例えば５０ｍ以内など。当該値は適宜に設定が可能である。）にある水利の水利位置情報を取得する。
【００９９】
あるいは例えば水利情報取得部１１７は、今回火災情報５０ａに含まれる通報者位置情報５１０に基づいて水利位置情報ＤＢ１３５に含まれる図２Ｅに示すようなテーブルを参照して、通報者位置情報５１０に近い位置にある所定数の水利の水利位置情報を取得してもよい。
【０１００】
＜端末位置取得処理＞
端末位置取得部３１１は、処理を開始すると火災情報共有端末３０の緯度及び経度を端末位置情報として取得して処理を終了する。
【０１０１】
あるいは端末位置取得部３１１は、端末位置取得処理を開始してから、火災情報システムに今回の火災が鎮火されたことを示す情報が入力されるまでの間、当該火災情報共有端末３０の現在の緯度及び経度を示す現在端末位置情報を取得してサーバ１０及び他の火災情報共有端末３０に対し、所定の周期にて繰り返し送信する。
【０１０２】
＜地図表示処理＞
地図表示部３１３は、処理を開始すると、今回火災情報５０ｂを受信して、該受信した今回火災情報５０ｂに含まれる通報者位置情報５１０と、屯所情報取得部１１５により取得された屯所位置情報５２０、水利情報取得部１１７により取得された水利位置情報５３０及び端末位置情報とに基づいて、受信ユーザの今回の出動先を示す、図４に示すような地図を表示部３３０に表示させて処理を終了する。
【０１０３】
当該地図には、図４に示すように、火災が発生しているか否かを示す表示７０１、今回火災情報５０ｂに今回の火災の詳細な情報が含まれている場合には当該含まれている今回の火災の詳細の情報を示す表示７０３、通報者位置情報５１０に基づく火災現場の位置を示す現場位置表示７０５、水利位置情報５３０に基づく今回の消火活動に用いることのできる消防水利の位置を示す水利位置表示７０７、屯所位置情報５２０に基づく屯所の位置を示す屯所位置表示７０９、消防車の現在位置を示す消防車位置表示７１１、受信時端末位置情報に基づく受信ユーザの現在位置を示すユーザ現在位置表示７１３が表示されている。
【０１０４】
火災が発生しているか否かを示す表示７０１は、例えば火災が発生している間は赤色で、火災が発生していない間は緑色でそれぞれ表示される。
【０１０５】
なお、現場位置表示７０５は、通報者位置情報５１０が示す位置を中心として複数の（例えば３つの）同心円の円を表示する。同心円の円の線の間隔は、例えば１００ｍとなるように調整される。
【０１０６】
これらの情報に加えて、当該地図には、図４に示すように、ユーザ現在位置表示７１３が表示部３３０の中央に表示されるように地図を切り替える現在地ボタン７１４、現場位置表示７０５が表示部３３０の中央に表示されるように地図を切り替える火事場ボタン７１５、地図の背景を航空写真とそれ以外の背景地図とで切り替える背景切替ボタン７１７、上記地図以外を表示する画面に表示部３３０における表示が切り替わっている場合に表示部３３０に上記地図を表示させる地図ボタン７１９、受信ユーザ向けの新着の情報を表示させる新着情報ボタン７２１、他の受信ユーザに関する情報を表示させる団員の現在ボタン７２３、受信ユーザ間のメッセージの受発信を行うことができる画面に切り替えるメッセージボタン７２５、火災情報共有端末３０の各種の設定等を表示、変更するための画面に切り替える設定等ボタン７２７及び他の受信ユーザに今回の火災に関する指示を入力して送信するための画面に切り替える指示ボタン７２９、受信ユーザによる出動可否情報の入力を受け付けるための画面（例えば図５Ａの画面）に切り替える返答ボタン７３３、消防車の運転手である受信ユーザの火災情報共有端末３０の端末位置情報に応じて消防車位置表示７１１の地図中の表示位置を変化させ又は固定させるための車両状態変更ボタン７３５を表示する。
【０１０７】
なお、火事場ボタン７１５は、異なる位置で複数の火災が同時に発生している場合は、複数表示される。メッセージボタン７２５を押下すると、受信ユーザ間でのチャットによる情報共有のためのメッセージ、受信ユーザに一斉に退去を指示するメッセージなどを受発信することができる画面が表示される。また、図４においては、受信ユーザは既に出動可否情報の入力を終えているため、返答ボタン７３３による操作が行えない状態であることを示すため、返答ボタン７３３は透明に表示されている。同様に、図４においては、受信ユーザは消防車の運転車ではないので車両状態変更ボタン７３５による操作が行えない状態であることを示すため、車両状態変更ボタン７３５は透明に表示されている。
【０１０８】
＜推奨処理＞
推奨部１１９は、処理を開始すると、端末位置取得部３１１により取得された、各火災情報共有端末３０が今回火災情報を受信した際の端末位置情報と、今回火災情報５０ｂに含まれる通報者位置情報５１０と、屯所情報取得部１１５により取得された屯所位置情報５２０との位置関係に基づいて、各受信ユーザに通報者位置情報５１０が示す位置及び屯所位置情報５２０が示す位置のいずれかに出動することを促す情報を表示部３３０に表示させる。
【０１０９】
すなわち例えば推奨部１１９は、各受信ユーザが、端末位置情報が示す位置から屯所位置情報５２０が示す位置を経由して通報者位置情報５１０が示す位置に移動した場合の道順を取得して、当該道順を通って当該受信ユーザが通報者位置情報５１０が示す位置に移動した場合の距離を算出して、あるいは各受信ユーザの通常の交通手段が記憶部１３０に記憶されている場合は移動の所要時間を算出して、当該距離又は所要時間が所定値以上であれば、当該受信ユーザには、例えば図５Ｂに示すように、通報者位置情報５１０が示す位置に直接移動することを促す情報７５１を表示部３３０に表示する。
【０１１０】
あるいは例えば推奨部１１９は、端末位置情報が示す位置と屯所位置情報５２０が示す位置が非常に近い（例えば数百メートルなど。）などの場合には、当該受信ユーザには、屯所位置情報５２０が示す位置を経由して通報者位置情報５１０が示す位置に直接移動することを促す情報（図示せず。）を表示部３３０に表示する。
【０１１１】
そして推奨部１１９は、出動可否情報を受信して、今回火災情報５０に含まれる通報者位置情報５１０が示す位置に出動する受信ユーザの人数及び屯所位置情報が示す位置に出動する受信ユーザの人数の何れか一方又は両方に応じて、該受信ユーザに該通報者位置情報５１０が示す位置及び該屯所位置情報が示す位置のいずれかに出動することを促す情報を表示部３３０に表示させる。
【０１１２】
すなわち例えば、屯所位置ＤＢ１３３には、消防屯所ごとの消防車の台数が記憶されており、当該消防車の台数に応じて、例えば消防車１台当たり１名が火災発生時に屯所に向かう必要があるなど計算式に基づいて、火災発生時に各消防屯所に向かうべき人数を算出し（例えば消防車が２台ならば２名など。）、屯所位置情報が示す位置に出動することを示す情報を送信した人数が当該算出された人数に達した場合には、例えば図５Ｃに示すように、通報者位置情報５１０が示す位置に直接移動することを促す情報７５３を表示部３３０に表示する。
【０１１３】
また推奨部１１９は、水利状態推定部１２１の推定結果に基づいて、いずれかの消防水利の供給可能量に余裕がない場合には、該供給可能量に余裕がない消防水利以外の消防水利を用いることを促す情報を火災情報共有端末３０の表示部３３０に表示させる。
【０１１４】
すなわち例えば推奨部１１９は、図６に示すように、該供給可能量に余裕がない消防水利の位置を示す水利位置表示７０７に、当該消防水利の供給可能量に余裕がないことを示すバツ印７３１を重ね合わせて表示することにより、当該供給可能量に余裕がない消防水利以外の消防水利を用いることを促す情報を火災情報共有端末３０の表示部３３０に表示させる。
【０１１５】
＜水利状態推定処理＞
水利状態推定部１２１は、処理を開始すると火災情報共有端末３０の端末位置取得部３１１により取得された火災情報共有端末３０ごとの端末位置情報と、水利情報取得部１１７により取得された水利位置情報との位置関係及び該水利位置情報に含まれる消防水利ごとの水の供給可能量を示す情報に基づいて、いずれの消防水利が今回の消火活動に用いられているか及び該消防水利ごとの供給可能量に余裕があるか否かを推定する。
【０１１６】
より具体的には、水利状態推定部１２１は、例えば火災情報共有端末３０の端末位置取得部３１１により取得された火災情報共有端末３０ごとの端末位置情報が示す場所と水利情報取得部１１７により取得された水利位置情報が示す場所との距離が所定以下（例えば５ｍ以下など。）である時間が所定以上（例えば１分など。）継続した場合に、当該火災情報共有端末３０を所持している受信ユーザが１本のホースを当該水利位置情報が示す場所に所在する消防水利につないだと判定し、当該消防水利は用いられている（一本のホースがつながれている）と推定するとともに、現在何本のホースがつながれているかを記憶する。
【０１１７】
そして、水利状態推定部１２１は、例えば当該用いられていると推定された消防水利の供給可能量情報１３２５を参照して、その口径の大きさ又は１分当たりの水の供給量から何本のホースをつないで水を供給することができるかを算出し、上記にて記憶した当該消防水利につながれているホースの本数が当該算出結果に達した時に供給可能量に余裕が無くなったと推定する。
【０１１８】
＜出動可否情報受付処理＞
出動可否情報受付部３１５は、処理を開始すると、図５Ａに示すような表示７４１を表示部３３０に表示して、受信ユーザによる今回の火災の消火活動に出動できるか否かを示す情報、今回火災情報５０に含まれる通報者位置情報５１０が示す位置及び屯所情報取得部１１５に取得された屯所位置情報が示す位置のいずれに出動するかを示す情報を含む出動可否情報の入力を受け付けて処理を終了する。
【０１１９】
すなわち出動可否情報受付部３１５は、屯所へボタン７４３が押下された場合には当該受信ユーザは屯所位置情報が示す位置に出動することを示す情報を受け付け、現場へボタン７４５が押下された場合には当該受信ユーザは通報者位置情報が示す位置に出動することを示す情報を受け付け、欠席ボタン７４７又は管轄外ボタン７４９が押下された場合には当該受信ユーザは今回の火災の消火活動に出動できことを示す情報を受け付ける。
【０１２０】
＜出動可否情報送信処理＞
出動可否情報送信部３１７は、処理を開始すると出動可否情報受付部３１５が受け付けた出動可否情報を、他の火災情報共有端末３０に送信して処理を終了する。なお出動可否情報送信部３１７は、他の火災情報共有端末３０に当該出動可否情報を直接送信してもよいし、サーバ１０を介して他の火災情報共有端末３０に当該出動可否情報を送信してもよい。
【０１２１】
＜出動可否情報表示処理＞
出動可否情報表示部３１９は、処理を開始すると他の火災情報共有端末３０から出動可否情報を受信して、該受信した出動可否情報に含まれる情報を表示部３３０に表示させて処理を終了する。
【０１２２】
本実施形態においては、出動可否情報表示部３１９は、団員の現在ボタン７２３が押下されることにより受信した出動可否情報に含まれる情報を表示部３３０に表示させる。
【０１２３】
なお、記憶部１３０に、各受信ユーザがポンプを使用できるか否かの情報、車を運転できるか否かの情報が記録されている場合には、出動可否情報表示部３１９は、これらの情報を取得して、出動可否情報に含まれる情報と共に表示部３３０に表示させる。
【０１２４】
＜その他の実施形態＞
以上、本発明の火災情報システムの実施形態の一例について説明したが、本発明の火災情報システムの実施形態はこれに限定されない。
【０１２５】
他の実施形態においては、今回火災情報取得部１１１は、図７に示すように、画像解析装置７５０を有する施設７５から今回火災情報５０ａを受信する。画像解析装置７５０は、火災発生判定部７５７と、今回火災情報生成部７５９とを有している。
【０１２６】
火災発生判定部７５７は、今回の火災の発生を通報する通報端末９５の通報時の位置情報である通報者位置情報と、該今回の火災の発生を通報するための画像である火災状態画像とを含む火災通報情報を該通報端末９５から受信して、該火災状態画像に基づいて火災の発生の有無を判定する。
【０１２７】
なお火災発生判定部７５７は、複数の火災状態画像と火災の発生の有無を示す教師データとを対応付けて学習した識別器により構成されている。
【０１２８】
すなわち火災発生判定部７５７は、通報端末９５から受信した火災通報情報に含まれる火災状態画像を入力として受け付けると、火災の発生の有無を判定して当該判定結果を出力する。
【０１２９】
今回火災情報生成部７５９は、火災が発生していると火災発生判定部７５７が判定した場合に、通報者位置情報を含む今回火災情報を生成する。そして、サーバ１０の今回火災情報取得部１１１は、当該今回火災情報生成部７５９が生成した今回火災情報を取得する。
【０１３０】
＜その他の実施形態における処理内容＞
以下、図８を参照して、画像解析装置７５０を含む火災情報システムによる処理の概要を説明する。
【０１３１】
火災情報システムは、例えば通報端末９５から火災通報情報が送信されることにより処理を開始する。
【０１３２】
火災情報システムが処理を開始すると、まず画像解析装置７５０において、今回の通報が受け付けられる（図８／Ｓ１０）。そして、火災発生判定処理が実行され（図８／Ｓ３０）、今回火災情報生成処理（図８／Ｓ５０）が実行される。以降の処理については上述の通りであるため、説明を省略する。次に、各処理について説明する。
【０１３３】
＜火災発生判定処理＞
火災発生判定部７５７は、処理を開始すると今回の火災の発生を通報する通報端末９５の通報時の位置情報である通報者位置情報と、該今回の火災の発生を通報するための画像である火災状態画像とを含む火災通報情報を該通報端末９５から受信して、該火災状態画像に基づいて火災の発生の有無を判定して処理を終了する。
【０１３４】
すなわち火災発生判定部７５７は、通報端末９５から受信した火災通報情報に含まれる火災状態画像を入力として受け付けて、当該火災状態画像に基づいて火災の発生の有無を判定する識別器として機能して当該判定結果を出力する。
【０１３５】
＜今回火災情報生成処理＞
今回火災情報生成部７５９は、処理を開始すると火災が発生していると火災発生判定部７５７が判定した場合に、通報者位置情報を含む今回火災情報を生成して処理を終了する。
【０１３６】
以上説明したように、本発明の火災情報システムによれば、迅速に消火活動を行うことができる対象が限定されず、かつ様々な場所で消防団員以外の業務に従事している消防団員間での情報共有を適切に図ることができる火災情報システムを提供することができる。
【０１３７】
以上、本発明の実施形態について説明したが、本発明はこれに限定されない。本発明の趣旨を逸脱しない範囲で、種々の変更が可能である。
【０１３８】
例えば水利情報取得部１１７は、今回火災情報５０ａに含まれる通報者位置情報５１０に基づいて受信ユーザが今回の火災の消火活動に用いることができる消防水利の水利位置情報を記憶部１３０の水利位置情報ＤＢ１３５から取得する際に、併せて消防水利ごとのメンテナンス情報１３２７を取得してもよい。この場合、当該メンテナンス情報１３２７は今回火災情報５０ｂに含まれて火災情報共有端末３０に送信され、当該メンテナンス情報１３２７を含む今回火災情報５０ｂを受信した火災情報共有端末３０の地図表示部３１３は、当該メンテナンス情報１３２７を参照し、使用可否が「不可」である消防水利については、地図に表示しないか、×印などの当該消防水利が使用不可であることを示す情報と共に表示するように構成される。
【０１３９】
また、本発明の火災情報システムは、消防水利のごとの使用の可否、故障している場合は故障の状態などの情報の操作者による入力を受け付けて、記憶部１３０の水利位置情報ＤＢ１３５にメンテナンス情報１３２７として記憶するように構成される。
【０１４０】
操作者は、例えば火災が発生していない状況において、地図を表示し、当該地図中の消防水利の位置を示す水利位置表示７０７を押下することにより表示される画面において、消防水利のごとの使用の可否、故障している場合は故障の状態などの情報の操作者による入力を行う。このとき併せて、消防水利の種別、型式、口径、点検者、点検日等の情報を操作者が入力できるように、火災情報システムが構成されていてもよい。さらに、各消防水利の位置を中心とする同心円を画面に表示させることができるように構成されていてもよい。これにより、例えば消火栓からの距離が離れすぎているので、ホースをつないでも消防車による消火が行えない可能性のある場所を操作者が確認することができる。
【０１４１】
あるいは例えば、出動可否情報受付部３１５は、受信ユーザによる、通報者位置情報５１０が示す位置への移動に要する所要時間（例えば、５分、１０分など。）を示す情報の入力を受け付けるように構成されてもよい。
【０１４２】
上記においては、屯所情報取得部１１５と、水利情報取得部１１７とは、サーバ１０が有している実施形態について説明したが、これに限定されない。
【０１４３】
すなわち例えば、火災情報共有端末３０が屯所情報取得部１１５と、水利情報取得部１１７とを有していてもよい。この場合、火災情報共有端末３０の屯所情報取得部１１５と、水利情報取得部１１７とは、サーバ１０の記憶部１３０を参照して屯所位置情報及び水利位置情報を取得する。あるいは屯所位置情報及び水利位置情報があらかじめ火災情報共有端末３０の記憶領域に格納されており、火災情報共有端末３０の屯所情報取得部１１５と、水利情報取得部１１７とは、当該格納領域から屯所位置情報及び水利位置情報を取得してもよい。
【０１４４】
また、本発明によれば、火災のみならず水害が発生した場合の水防団員への出動要請、水防団員間の情報共有を図るための情報システムとしても応用可能である。
【符号の説明】
【０１４５】
３０…火災情報共有端末、１１１…今回火災情報取得部、１１３…火災情報送信部、１１５…屯所情報取得部、１１７…水利情報取得部、１１９…推奨部、１２１…水利状態推定部、１３０…記憶部、３１１…端末位置取得部、３１３…地図表示部、３１５…出動可否情報受付部、３１７…出動可否情報送信部、３１９…出動可否情報表示部、７５７…火災発生判定部、７５９…今回火災情報生成部。
【要約】
【課題】迅速に消火活動を行うことができる対象が限定されず、かつ様々な場所で消防団員以外の業務に従事している消防団員間での情報共有を適切に図ることができる火災情報システムを提供する。
【解決手段】火災情報システムは、複数の火災情報共有端末を含んで構成され、今回火災情報取得部と、端末識別情報、屯所位置情報及び水利位置情報とを記憶する記憶部と、火災情報共有端末に今回火災情報を送信する火災情報送信部と、屯所情報取得部と、水利情報取得部とを備える。火災情報共有端末は、端末位置取得部と、受信ユーザの今回の出動先を示す地図を表示させる地図表示部と、出動可否情報受付部と、受け付けた出動可否情報を他の火災情報共有端末に送信する出動可否情報送信部と、出動可否情報表示部とを有する。
【選択図】図１【図１】
0006675723.tif 000002
【図２Ａ】
0006675723.tif 000003
【図２Ｂ】
0006675723.tif 000004
【図２Ｃ】
0006675723.tif 000005
【図２Ｄ】
0006675723.tif 000006
【図２Ｅ】
0006675723.tif 000007
【図３】
0006675723.tif 000008
【図４】
0006675723.tif 000009
【図５Ａ】
0006675723.tif 000010
【図５Ｂ】
0006675723.tif 000011
【図５Ｃ】
0006675723.tif 000012
【図６】
0006675723.tif 000013
【図７】
0006675723.tif 000014
【図８】
0006675723.tif 000015